Podtech/llm-jp-corpus-v4-ja_patent huggingface dataset:
(57)【要約】【目的】  寝たきりとなり、便や尿の排泄物の処理を介助者の手を借りずに、自動的に洗浄し処理するおむつ。【構成】  おむつカバー（１）の内側に、便や尿の排泄物を感知して、空気を注入して膨張する、腰を取り巻く筒状チューブ（２）と臀部（１８）と陰部（１７）周囲のチューブ（３）により構成され、排泄物の汚染の激しい部分に臀部（１８）と陰部（１７）の周囲に、空気瘤（４）による汚物溜（５）を設け、汚物の拡散を防ぎ、排泄物を洗浄し処理するおむつ。【選択図】  図１
2005058718.tif 000002
【特許請求の範囲】
【請求項１】
おむつカバー（１）の内側に、薄く柔らかいゴム、ビニール等の素材で成型されたチューブで、腰回りには半円形の筒形チューブ（２）と、臀部と陰部周囲には、チューブ（３）で構成され、空気を注入すると空気圧よって腰回りを密着させ、汚物の拡散を防ぎ、便や尿を処理するおむつ。
【請求項２】
寝たきりとり介護の必要な人の、おしめカバー（１）の内側に、排泄物を感知し、空気を注入すると膨張して、汚染の拡散を防ぐ装置としてのチューブを、腰回りには筒形のチューブ（２）臀部と陰部にはチューブ（３）を取り付け、チューブ（３）に、空気圧による空気瘤（４）による汚物溜（５）を形成し、自動的に汚物を処理することを特徴とする、便や尿を処理するおむつ。
【発明の詳細な説明】
【発明の詳細な説明】
【技術分野】
【０００１】    本発明は、寝たきりとなり、自力で便所や簡易便器等を使用が不可能で、深夜に排泄したとき、便や尿の排泄物を感知して、あむつカバーに取り付けられたチューブに空気を注入し、腰回りを汚染から保護し、汚染の激しい臀部や陰部を空気瘤によって形成された汚物溜を成型し、排泄物を自動的に汚物を洗浄し処理をするおむつで、介護用品に関するものである。
【背景技術】
【０００２】    従来の介護用のおむつは、おむつカバーの内側に、帯布を縦と横に十字にして腰に巻つけおむつカバーで固定して、便や尿の排泄物を帯布を取り外して、汚れを洗濯して乾燥させ再度使用してきたが、近年は、手数が掛かることから、後始末が簡単な使い捨てタイプが主流を占め、そのおむつの構造は、本体の内側に排尿を吸収して、一定の時間に外部に漏れないように、尿を保持するおむつが普及している。
【発明が解決しようとする課題】
【０００３】    寝たきりとなり、自力で便所や簡易便器を使用できない介護者にとって、特に深夜の排泄物の処理は介助者にとっても大きな負担となるため、食事等の制限をするなどして排泄物の調整を図るなど、在宅介護は、介護者も介助者も大きな精神的な負担となっているので、排泄物を感知して自動的に洗浄し汚物を処理することによって、介護者の負担を軽減を図るものである。
【課題を解決するための手段】
【０００４】    おしめカバー（１）の内側に、半円形の薄く柔らかいゴム、ビニール等で成型された筒形チューブ（２）を取り付け、便や尿の排泄物を感知して、筒形チューブ（２）に空気を注入して、腰回りを保護し、汚染の拡散を防ぐため、臀部や陰部の周囲に空気瘤（４）を形成し、汚物溜（５）を成型し、洗浄ノズル（１５）と洗浄噴射口（１６）から、洗浄剤を吹き付け、汚物を洗浄して排泄口（７）から処理する。
寝たきりの状態では、臀部（１８）に汚物が下に溜まるので、汚物溜（５）の中央部に、便と尿が混ざらないように汚物分離帯（９）と、横向きのときの漏れを防ぐため横漏れ防止帯（８）を設けた。
本発明は、以上の構成よりなる便や尿を処理するおむつである。
【発明を実施するための最良の形態】
【０００５】    以下、  本発明の実施の形態を説明する。
（イ）おむつカバー（１）の内側の中央部に、空気を注入すると膨張する薄く柔らかいゴム、ビニール等の素材で成型された半円形の筒形チューブ（２）を、おむつカバー（１）の中央部に取り付け、筒形チューブ（２）の腰の両脇の部分を布状ファスナー（１０）で取り付ける。
（ロ）便や尿の排泄物を感知して、空気注入口（６）から、筒形チューブ（２）とチューブ（３）に空気を注入し、汚染の激しい臀部や陰部の周囲に空気瘤（４）による汚物溜（５）を形成する。
（ハ）洗浄ノズル（１５）と洗浄噴射口（１６）によって洗浄する。
（ホ）汚物溜（５）の、汚物を汚物排水口（７）から処理して、空気注入・排気口（６）から空気を抜きもとの状態に復元する。
本発明は以上の構成よりなる。
本発明を使用する場合、おむつカバー（１）に、筒状チューブ（２）とチューブ（３）を布状ファスナー（１０）で固定し、寝たきりの介護者の腰（１９）と臀部（１８）の下に敷き、陰部（１７）のおむつカバー（１）を腰（１９）の方へ引き上げ前面で重ねて、腰の両脇の筒状チューブ（２）の繋ぎ目を布状ファスナー（１２）で固定してから、おむつカバー（１）で、チューブ全体を包み込みスナップ状金具（１１）で留めて使用する。
【発明の効果】
【０００６】      本発明は、寝たきりとなり便所や簡易便所を使用できなく、介助を得なければ、自力で排泄物の処理できない、介護者の便や尿の排泄物の拡散を防ぎ、自動的に処理し、深夜などの介護する家族等の負担の軽減を図ることができる。
【図面の簡単な説明】
【図１】    本発明の斜視図
【図２】    本発明の平面図
【図３】    本発明の実施時の平面図
【図４】    Ａ−Ａの断面図
【符号の説明】
（１）・・・おむつカバー      （２）・・・筒形チューブ
（３）・・・チューブ          （４）・・・空気瘤
（５）・・・汚物溜            （６）・・・空気注入・排気口
（７）・・・汚物排泄口        （８）・・・横漏れ防止帯
（９）・・・汚物分離帯      （１０）・・・布状ファスナー
（１１）・・・スナップ状金具  （１２）・・・布状ファスナー
（１３）・・・汚物排水管      （１４）・・・空気注入・排気管
（１５）・・・洗浄ノズル      （１６）・・・洗浄噴射口
（１７）・・・陰部            （１８）・・・臀部
（１９）・・・腰              （２０）・・・足
【図１】
2005058718.tif 000003
【図２】
2005058718.tif 000004
【図３】
2005058718.tif 000005
【図４】
2005058718.tif 000006
(57)【要約】      （修正有）【課題】ゴムを使用する際に作業能率を向上しうる輪ゴム掛け固定器具の提供。【解決手段】使用者手首近くの腕にはめ込み，必要な数の輪ゴムを脱着できるよう装置し，多目的１人作業に応じ，ある種類の物を押さえたまま、他腕指先にて輪ゴムを取り出し、ある種類の物から手を放さず，輪ゴムを装着できるように設けられて成る。【選択図】図８
2005058763.tif 000002
【特許請求の範囲】
【請求項１】
手首近くの腕に装着一対から成る脱着可能な輪ゴム掛け固定器具。
【発明の詳細な説明】
【技術分野】
【０００１】手首近くの腕にはめ込み，一対から成る，脱着部より輪ゴムを取り出すように設けられて成る輪ゴム固定器具である。
「背景技術」【０００２】考案は，多目的１人作業での輪ゴム掛け利用に的する物である。【０００３】従来，輪ゴムを使用する上において，動作上不合理に処理されてる。
「発明の開示」
「発明が解決しょうとする問題」【０００４】片手に，物を押えて不合理を除去し作業能率の向上を計った器具である。
「課題を解決するための手段」【０００５】本考案は，従未の輪ゴム掛け作業にて，手首近くの腕にはめ込み，一対の脱着可能な輪ゴム掛けより輪ゴムを取り出し作業能率の向上計った器具。
「発明の効果」【０００６】作業中，手首近くの腕に輪ゴム掛けをはめ込み片手において物を押さえ一対の輪ゴム掛けより取り出し締めつける。
ある種類の物を押さえたまま，他腕指先にて輪ゴムを取り出しある種類の物から手を放さず不動行もなく輪ゴム掛けができ輪ゴム掛け固定器具を提供する。
「発明を実施するための最良の形態」【０００７】手首近くの腕に装着一対の輪ゴム取り出し脱着部より輪ゴムを取り出せる構成になっている。
「実施例」【０００８】図面図１より図１０本考案輪ゴム掛けの実施例を説明する。
図４にて輪ゴム固定器具１を手首近くの両腕部２どちらかにはめ込み図６輪ゴム脱着部３より輪ゴムを取り出す。
図６にて手首近くの腕を外側え働く弾力１０を利用内側え働く弾力１１を利用図４にてはめ込み部２え装着。【０００９】上記にて動作装着しえた後輪ゴム脱着部反動板１４Ａから１４を利用輪ゴムを通係させ輪ゴム脱着部に固定。【００１０】手首近くにはめ込みにて程よく，弾力をあたえもとにもどる性質をもつ以下符号にて。
４    内側えの締めつけ部。
９    内側え働く弾力をもつ。
１１    内側手首の下え働く弾力をもつほどよく締めつける。
５    内側えの締めつけ部。
８    内側え働く弾力をもつ。
１０    内側手首の下えの弾力をもって程よく締めつける。【００１１】  輪ゴム脱着部に固定する。
片手に輪ゴム固定器具をもち反対の指にて図９とっき７の固さを利用反動板内径の太さにて定位置に戻る性質１５反動板内径の太さ弾力強く定位置に戻る性質１４Ａ並び１４図６通係口６から輪ゴム脱着部の中に輪ゴムを固定する方法図９にてはめ込み部２に装着する方法。【００１２】  手首近くの腕にはめ込み部を装着する。
図６にて手首近くの腕に内側手首の下えの弾力をもって程よく締めつけする１０内側手首の下え働く弾力をもつほどよ締めつける１１段差のある１０並び１１との間えと内側え働く弾力をもつ８内側え働く弾力をもつ９内側えの締めつけ部５内側えの締めつけ部４図４はめ込み部２え装着する方法。【００１３】輪ゴム脱着部に輪ゴムを固定してからはめ込み部え装着手首近くの腕にはめ込み部を装着してから輪ゴムを輪ゴム脱着部の中に固定きき腕有りにて両腕どちらでも装着可能上記にて作業とする。
「産業上の利用可能性」【００１４】以上，考案の効果，説明したように請求項１に係る輪ゴム掛け固定器具によれば，ある種類の物から放れず多目的作業において機敏な行動ができるすなわち，作業能率を向上でき又素材，木材，プラスチック，弾力の有る物とする。
【図面の簡単な説明】
【００１５】
【図１】考案の斜視図である。
【図２】考案の一部反動板斜視図。
【図３】考案の断面図の斜視図。
【図４】斜視図
【図５】平面図
【図６】断面図
【図７】平面図
【図８】斜視図
【符号の説明】
【００１６】  １  輪ゴム固定器具。
２  はめ込み部。
３  輪ゴム脱着部。
４  ９  １１  内側締めつけ部るる
５  ８  １０  外側締めつけぶ。
６  通係口
１４  １４Ａ  １５  反動部
１６  輪ゴム
【図１】
2005058763.tif 000003
【図２】
2005058763.tif 000004
【図３】
2005058763.tif 000005
【図４】
2005058763.tif 000006
【図５】
2005058763.tif 000007
【図６】
2005058763.tif 000008
【図７】
2005058763.tif 000009
【図８】
2005058763.tif 000010
(57)【要約】【課題】      魚が掛かった時に、釣り用天秤の横杆が魚の動きに合わせて撓り、針が外れることを防止した釣り用天秤を提供すること。【解決手段】  金属製線材の上端と下端を折曲して仕掛け止着部２ａ、２ｂを形成した主杆２と該主杆２に外方へ突出するように取り付けた枝杆３を有する釣り用天秤１において、釣り針に掛かった魚の引き込みに合わせて撓むように枝杆３は主杆２より剛性が小さい。主杆２がステンレスで、枝杆３がニッケルチタン合金で形成されている【選択図】        図２
2005058047.tif 000002
【特許請求の範囲】
【請求項１】
金属製線材の上端と下端を折曲して仕掛け止着部を形成した主杆と該主杆に外方へ突出するように取り付けた枝杆を有する釣り用天秤において、枝杆は主杆より剛性が小さいことを特徴とする釣り用天秤。
【請求項２】
主杆と枝間は異なる材料で形成されていることを特徴とする請求項１記載の釣り用天秤。
【請求項３】
主杆と枝杆は同一材料で形成され、枝杆は主杆より径が小さいことを特徴とする請求項１記載の釣り用天秤。
【請求項４】
主杆がステンレスで、枝杆がニッケルチタン合金で形成されていることを特徴とする請求項２記載の釣り用天秤。
【発明の詳細な説明】
【技術分野】
【０００１】
本発明は、主杆と枝杆を有する釣り用天秤に関する。
【背景技術】
【０００２】
従来の釣り用天秤は、特許文献１のように主杆とこの主杆から外方へ突出する枝杆を有するものが使用されている。
このような釣り用天秤は、主杆の上端に道糸を止着し、下端に錘やビシなどの重り類が止着され、さらに、枝杆の先端側に釣り針を設けた釣り糸を取り付けて釣りを行っていた。
しかし、このような釣り用天秤は、主杆と枝杆が同一材料で形成されており、魚が掛かっても枝杆が魚の動きに合わせ撓ることができずいわゆる口切れが発生し、針が外れてしまうことが多かった。
【０００３】
【特許文献１】実公昭４７−２２１４８号
【発明の開示】
【発明が解決しようとする課題】
【０００４】
解決しようとする問題点は、魚が掛かっても釣り用天秤の枝杆が魚の動きに合わせ撓ることができず針が外れてしまうことである。
【０００５】
本発明の目的は前記欠点に鑑み、魚が掛かった時に、釣り用天秤の枝杆が魚の動きに合わせて撓り、針が外れることを防止した釣り用天秤を提供することである。
【課題を解決するための手段】
【０００６】
本発明の請求項１は、金属製線材の上端と下端を折曲して仕掛けの止着部を形成した主杆と該主杆に外方へ突出するように取り付けた枝杆を有する釣り用天秤において、枝杆は主杆より剛性が小さいことを要旨とするものである。
本発明の請求項２は、主杆と枝杆は異なる材料で形成されていることを要旨とするものである。
本発明の請求項３は、主杆と枝杆は同一材料で形成され、枝杆は主杆より径が小さいことを要旨とするものである。
本発明の請求項４は、主杆がステンレスで、枝杆がニッケルチタン合金で形成されていることを要旨とするものである。
【発明の効果】
【０００７】
本発明により、主杆は剛性が大きいためその下端に重りを取り付けても破損しにくく、枝杆は、魚が掛かった時にその動きに合わせて撓ることができるため針が外れることが防止される。
【発明を実施するための最良の形態】
【０００８】
金属製線材の上端と下端を折曲して仕掛け止着部２ａ、２ｂを形成した主杆２と該主杆２に外方へ突出するように取り付けた枝杆３を有する釣り用天秤１において、枝杆３は主杆２より剛性が小さい。
【実施例１】
【０００９】
以下、図示の実施例によって本発明を説明すると、図１は仕掛けを取り付けた釣り用天秤の全体図、図２は釣り用天秤の断面図である。
【００１０】
図１において、釣り用天秤１は、金属製の線材で形成された主杆２と金属製の線材で形成され、主杆２は、その周方向に突出するように取り付けた枝杆３を有している。
【００１１】
図２において、主杆２は、その先端と下端を折曲して折り返し、それぞれ仕掛け止着部２ａ、２ｂが形成され、それぞれの仕掛け止着部２ａ、２ｂの折り返し部分は主杆２に添設されてリベット等の連結部材Ｃで締め付けて保持され、止着部２ａ、２ｂがリング形状を維持している。
【００１２】
枝杆３は、先端側に仕掛け止着部３ｂを有する別体の先端部材３ａを有し、枝杆３に添設されてリベット等の連結部材Ｃで締め付けて固定される。
【００１３】
枝杆３の基端側は、主杆２に沿うように屈曲されて主杆２の下端の仕掛け止着部２ｂ近傍の上方にリベット等の連結部材Ｃで締め付けて、その周辺を溶接して固定されており、こうして、枝杆３は主杆２から略直角にその周方向へ突出している。
【００１４】
そして、主杆２の上端の仕掛け止着部２ａと下端の仕掛け止着部２ｂが両端から突出するようにしてその間の主杆２を枝杆３の基端側とともに覆う管材１０が取り付けられている。
管材１０は金属や合成樹脂からなり、主杆２の上端の仕掛け止着部２ａと下端の仕掛け止着部２ｂ間の部分が挿通され、管材１０は主杆２に遊嵌されているため両仕掛け止着部２ａ、２ｂ間を上下に移動できる。
【００１５】
主杆２の上端の仕掛け止着部２ａには、道糸４が止着され、主杆２の下端の仕掛け止着部２ｂには、ヨリモドシ５とスナップ６が設けられ、錘、ビシ等の重り７が容易に取り付け、取り外しできるようになっている。
【００１６】
さらに、枝杆３の先端側の仕掛け止着部３ｂに釣り針９を取り付けたハリス８等の仕掛けを止着できるようになっている。
【００１７】
主杆２は、重り７を取り付け、枝杆３が固定されてこれを支持するため剛性の大きい材料で形成され、枝杆３は、釣り針９に掛かった魚の引き込みに合わせて撓むように主杆２よりも剛性が小さく、また、主杆２よりも長く形成されているため、掛かった魚から釣り針９が外れたり、ハリス８が切れたりすることが防止される。
とくに枝杆３に使用する線材は基端側から先端側に掛けて同一径に形成されており、このため、基端側から先端側に掛けて一様に撓り、魚の引き込みに対し、釣り針９が掛かった部分やハリス８に急な力がかからず、釣り針９が外れたり、ハリス８が切れたりしにくい。
【００１８】
そして、具体的には、主杆２がステンレスで形成され、枝杆３がニッケルチタン合金で形成されており、ニッケルチタン合金は超弾性の性質を有し塑性変形しにくい点で枝杆３に適しており、撓っても破損しにくい。
【００１９】
また、主杆２と枝杆３は同じ材料を用いてもよく、例えば、両方をステンレス、またはニッケルチタン合金に統一して釣り用天秤１を形成してもよく、この場合、枝杆３は主杆２に比べて径の小さい線材を用いるとよい。
【００２０】
釣り用天秤１のリベット等の連結部材Ｃで締め付けた部分は、同時に溶接して確実に固定してもよい。
なお、ヨリモドシ５やスナップ６は有していなくてもよい。
また、主杆２と枝杆３の材料は、上記に限らず他の金属製の線材を使用してもよい。
【産業上の利用可能性】
【００２１】
なお、この釣り用天秤１は、釣種に限らずあらゆる釣りに使用できる。
【図面の簡単な説明】
【００２２】
【図１】図１は、仕掛けを取り付けた釣り用天秤の全体図である。
【図２】図２は、釣り用天秤の断面図である。
【符号の説明】
【００２３】
１  釣り用天秤
２  主杆
３  枝杆
【図１】
2005058047.tif 000003
【図２】
2005058047.tif 000004
(57)【要約】【課題】  粘弾性、歯ごたえおよび外観のいずれも優れている冷凍麺類およびその製造法を提供することを目的とする。【解決手段】  麺線中心部における澱粉が澱粉粒を保持してなる、冷凍麺類。【選択図】なし【特許請求の範囲】
【請求項１】
麺線中心部における澱粉が澱粉粒を保持していることを特徴とする、冷凍麺類。
【請求項２】
乾燥した麺類を茹でて、茹で歩留を２２０〜２４０％に調整した後、冷却速度−０．２〜−１．５℃／minの条件下で冷凍することを特徴とする、請求項１記載の冷凍麺類の製造法。
【発明の詳細な説明】
【技術分野】
【０００１】
本発明は、冷凍麺類およびその製造法に関する。
【背景技術】
【０００２】
従来、茹麺を保存する方法として、保存剤で処理する方法あるいは冷凍処理をする方法が知られている。近年は、冷凍流通が整備されてきたことから冷凍処理された冷凍麺類が注目を集めている。冷凍麺類は長期間の保存には優れているが、喫食時に解凍することによって食味、食感が劣化する欠点があった。
これらの欠点を解消する方法として、茹でためんを脱水後凍結処理する方法（特許文献１参照）あるいは茹麺線を水洗い後、０℃より低く−１０℃より高い温度の不凍液に浸漬して麺線が凍らない程度に冷却し、次いで冷凍する方法（特許文献２参照）等が知られている。
しかしながら、これらの方法によっても未だ満足し得る冷凍麺類は得られなかった。
【特許文献１】特開昭６３−２８３６２号公報
【特許文献２】特公昭６３−６４１８２号公報
【発明の開示】
【発明が解決しようとする課題】
【０００３】
本発明者等は喫食時に釜上げ状態に近い食味、食感を有す冷凍麺類について検討した結果、従来の冷凍麺類は麺線中の澱粉粒が変形あるいは崩壊していることに基因して食味、食感が劣化することを見出し、本発明を完成するに至った。
【課題を解決するための手段】
【０００４】
すなわち、本発明は、麺線中心部における澱粉が澱粉粒を保持している冷凍麺類および乾燥した麺類を茹でて、茹で歩留を２２０〜２４０％に調整した後冷却速度−０．２〜−１．５℃／minの条件下で冷凍する冷凍麺類の製造法である。
【発明の効果】
【０００５】
本発明の冷凍麺類は、麺線中心部の澱粉が澱粉粒を保持していることから、粘弾性、歯ごたえおよび外観のいずれも優れている。
【発明を実施するための最良の形態】
【０００６】
従来から生麺あるいは乾麺を茹でて冷凍麺類を製造することは知られている。しかしながら従来法について多くの追試試験を行った結果生麺あるいは乾麺から製造される冷凍麺類はいずれも麺線の中心部の澱粉粒が変形あるいは崩壊したものしか得られなかった。
【０００７】
本発明は、まず茹麺類の原料として乾燥した麺類を用いて茹で上げその茹で歩留を２２０〜２４０％に調整する。この茹で歩留りが２２０％より低いと冷凍麺類を解凍したときの食感がぼそぼそし、一方２４０％を超えると澱粉粒が崩壊するようになり、冷凍麺類を解凍したときの食感にコシがなくなるので好ましくない。
【０００８】
次に乾燥した麺類から茹で上げられた茹麺類は、水洗した後冷却速度−０．２〜−１．５℃／minの条件下で冷凍する。この冷却条件を外すと、澱粉粒の崩壊が生じるので好ましくない。
このような冷却速度で通常−１８℃、好ましくは−２５℃まで冷却する。
【０００９】
本発明方法に用いられる乾燥した麺類としては乾麺、半生めん等が挙げられるが、いずれのものも乾燥して水分含量を２５．０％以下、特に１５．０％以下に調整したものが好ましい。
また乾燥した麺類を得るための乾燥は、通常水分含量を５〜２５％減じる程度の乾燥を行うことが好ましい。
【００１０】
本発明の冷凍麺類としては、うどん、そば、素麺、冷麦、中華麺等の各種麺類を用いることができる。
【実施例１】
【００１１】
次に本発明をさらに具体的に説明するために実施例を挙げるが、本発明は以下の実施例に限定されるものではない。
【００１２】
実施例１〜５
表１に示す条件下で乾燥した麺類を用いて茹麺を調製し、冷凍して冷凍麺類を調製した。
【００１３】
【表１】
2005058032.tif 000002
【００１４】
比較例１
水１．２Ｌに食塩１２０ｇを溶解させた食塩水を中力粉３kgに添加し、真空ミキサーで混捏後ロールで圧延し、♯１０の切り歯で切り出して生うどんを得た。この生うどんを茹でて茹で歩留２５０％の茹うどんを得た後冷却速度−０．２℃／minの条件下で−１８℃まで冷却して冷凍うどんを得た。
なお前記生うどんは実施例１の乾麺（うどん）を調製したときの生うどんと同一のものである。
【００１５】
試験例
実施例１および比較例１で調製した冷凍うどんを沸騰水中で１分間加熱調理した。得られた調理済うどんの食感を官能評価した。その結果は表２のとおりである。
【００１６】
【表２】
2005058032.tif 000003
【００１７】
なお実施例１の冷凍うどんの麺線中心部の電子顕微鏡写真を写真１として示し、比較例１の冷凍うどんの電子顕微鏡写真を写真２として示す。この電子顕微鏡写真から本発明の冷凍うどんは、麺線中心部に澱粉粒１が保持されていることがわかる。
【図面の簡単な説明】
【００１８】
【図１】本発明の冷凍うどんの電子顕微鏡写真。
【図２】比較例１の冷凍うどんの電子顕微鏡写真。
【符号の説明】
【００１９】
１：澱粉粒
【図１】
2005058032.tif 000004
【図２】
2005058032.tif 000005
(57)【要約】      （修正有）【課題】自然界に自生している原藻こんぶは、その表面にゴミや微生物そして貝類などの異物が付着している。機械化により洗浄が可能になれば品質の均一化と生産の効率化が図れるが、現状においては機械化及び自動化はなされていない。【解決手段】原藻こんぶは形状が一定でなく、また表面のヌメリによって洗浄処理の際可動が安定しない。そのためまず、チェーンコンベアによって原藻こんぶの進行を安定させ、かつ原藻こんぶを固定する金具を用いることにより、機械化による洗浄が可能となる。洗浄効果については、原藻こんぶの上面と下面を別々に洗浄することによって、ブラシの反対面の押さえ効果により洗浄効果が向上する。また、コンベア方式によって連続運転が可能となるので洗浄効率が向上する。【選択図】図１
2005058035.tif 000002
【特許請求の範囲】
【請求項１】
こんぶの原藻を周回するチェーンコンベアによって進行させ、原藻こんぶの上面は洗浄ブラシと下段に押さえ回転軸にて、後段には原藻こんぶ下面を洗浄する洗浄ブラシと押さえ回転軸を備え、尚かつ手前に多数の放水口を持つ洗浄用放水パイプを設け、効果的かつ連続でこんぶの原藻を洗浄する装置。
【請求項２】
周回するチェーンコンベアに固定した、原藻こんぶ固定金具を有することを特長とする請求項１記載のこんぶの原藻を洗浄する装置。
【発明の詳細な説明】
【技術分野】
【０００１】
本発明は、原藻こんぶを採取し市場に出荷するこんぶ採取業者向けの、こんぶの品質向上と労力の軽減そして生産性の向上を図る装置の開発である。
【背景技術】
【０００２】
これまで類似した構造を持つ「のり簀洗浄機」（例えば、実用新案文献１参照）はあったが、この装置では原藻こんぶには使用できない。現状では、こんぶ採取業者は手洗いによる洗浄を行ったり、また洗浄を省略して海中から採取後ただちに浜辺の石の上などで直接天日干しさせるなど、こんぶ用洗浄機として自動化は実現できていない。
【０００３】
以下、図３，図４、図５により従来の「のり簀洗浄機」について説明する。従来の技術は上下同位置にブラシを有し前後のローラーによって、のり原藻を進行させ洗浄する構造である。
【特許文献１】実公昭５５−５３１９２
【特許文献２】実公昭５１−１６３９０
【発明の開示】
【発明が解決しようとする課題】
【０００４】
原藻こんぶは自然界の海に自生しているため、海中に浮遊するゴミや微生物そして貝類が表面に付着する。原藻こんぶの表面に付着した不要物を取り除き、品質を均一化することが市場で求められている。
【０００５】
先に述べた従来の「のり簀洗浄機」では、上下ブラシの押さえる力が弱いため洗浄効果が表れず、また原藻こんぶの反り返りや表面のヌメリによって正常に進行せず、取り出し口近くのローラーにかみ合わず正常に可動できない。
【０００６】
現状においては原藻採取業者は原藻こんぶを海中から採取した後、浜辺で手作業でタワシなどによって手洗いしているが、生産効率が悪く、そして過度の労力負担がかかっていることなど多くの課題がある。
頁：２／３
【課題を解決するための手段】
【０００７】
周回するチェーンコンベアに固定した「原藻こんぶ固定金具」を有する構造。
（参考IPCキーワード    A023L／337）
【０００８】
原藻こんぶ上面を洗浄するブラシ下段に押さえ回転軸、後段に下面洗浄ブラシと上部に押さえ回転軸を有し、手前に複数の放水口を持つ洗浄用放水パイプを設ける構造。
（参考IPCキーワード    B08B1／04）
【０００９】
チェーンコンベアによって、連続作業ができる構造。
【００１０】
駆動軸と支持軸に２本のチェーンコンベアを周回するように取り付け、チェーンコンベアの二カ所に原藻こんぶの端を、１点を支点とした着脱可能な固定する金具を一定間隔で二つ取り付け、駆動軸の該上面に、原藻こんぶ上面を洗浄するブラシと、そのブラシを下面から支える回転軸、下面を洗浄するブラシ、そのブラシを上方から押さえる回転軸とに分けて上面の洗浄と、下面の洗浄を別々に行ことによって洗浄効果を高め、そして作業効率を向上させる原藻こんぶ洗浄機。
【００１１】
まず作業員がＡ点で原藻こんぶの前後を固定金具で固定し、図面Ａの方向に進める。洗浄箇所を通過後、Ｂ点で他の作業員が洗浄後の原藻こんぶを取り外す。
【００１２】
洗浄作業終了後、Ａ点でもう一つの固定金具に原藻こんぶを取り付け、コンベア方式で循環しながら連続して洗浄作業を行う。
【発明の効果】
【００１３】
上述したように本発明の原藻こんぶ洗浄機は、洗浄力が高くそして早くかつ軽作業で労力の軽減が図れる。
【００１４】
投入側と取り出し側に作業員各１名ずつ計２名が必要であるが、連続して洗浄でき作業効率の向上が図れる。
【００１５】
原藻こんぶを固定する金具によって、形状が一定でない原藻こんぶをムラがなく洗浄することが可能となり品質向上が図れる。また、常に清水を放出するので清潔である。
【発明を実施するための最良の形態】
【００１６】
以下、本発明の実施の形態を図１に基づいて説明する。                              
【００１７】
図１において、駆動軸１と支持軸２及び３の両端１本ずつ計２本のチェーンコンベア４を周回するように取付け、チェーンコンベアの二カ所に原藻こんぶの端を固定する金具５を一定間隔で二つ取付け、駆動軸の該上面に、原藻こんぶ上面を洗浄するブラシ６と、そのブラシを下面から支える回転軸８、その後段に原藻こんぶ下面を洗浄するブラシ７、そのブラシを上方から押さえる回転軸８、その前後に洗浄用水を放出するパイプ９を備える。
【００１８】
洗浄用ブラシ６及び７の硬度や回転数そして圧力を調整することによって、原藻こんぶの汚れ具合に応じた洗浄が可能である。
【図面の簡単な説明】
【００１９】
【図１】本発明の実施実態を示す原藻こんぶ洗浄機の部分断面図
【図２】チェーンコンベアに固定したこんぶ固定金具図
【図３】ブラシ洗浄部の部分断面図
【図４】同装置の全体の正面図及び平面図
【図５】類似技術である「原藻のり洗浄機」の構造図              （実公昭５５−５３１９２）
【図６】類似技術である「原藻のり洗浄機」の全体断面図              （実公昭５１−１６３９０）
【符号の説明】
【００２０】
１  駆動軸
２及び３  支持軸
４  チェーンコンベア
５  原藻こんぶ固定金具
６  上面洗浄ブラシ
７  下面洗浄ブラシ
８  洗浄ブラシ押さえ回転軸
９  洗浄放水パイプ
10  固定金具押さえガイド
11  原藻こんぶ
【図１】
2005058035.tif 000003
【図２】
2005058035.tif 000004
【図３】
2005058035.tif 000005
【図４】
2005058035.tif 000006
【図５】
2005058035.tif 000007
【図６】
2005058035.tif 000008
(57)【要約】【課題】電動推進浮きに水溶性のスイッチを利用し、投げ釣りにて、より遠くの水面付近、水底の魚を対象に釣りをすることが出来るようにする。【解決手段】ＯＮ用ノブ（１）をスプリングＡ（５）で引張るようにし、水溶性スイッチＡ（３）が溶けることにより、絶縁板（８）が外れ、モータ（１２）の電源がＯＮになるようにする。同様に、ＯＦＦ用ノブ（２）をスプリングＢ（６）で引張るようにし、水溶性スイッチＢ（４）が溶けることにより、ブラシ（７）が電極Ａ（９）のスリット部へ移動し、モータ（１２）の電源がＯＦＦになるようにする。さらに、浮き（１４）、重り受け（１６）を水溶性と不水溶性に使い分け、水面付近及び水底の魚を対象に釣りをできるようにする。【選択図】          図１
2005058077.tif 000002
【特許請求の範囲】
【請求項１】
水溶性スイッチを利用することにより、自動的にモータの電源をＯＮ、ＯＦＦできるようにした電動推進浮き。
【請求項２】
水溶性スイッチを利用した電動推進浮きと、浮き、重り受けを水溶性と不水溶性に使い分けることにより、水面付近及び水底の魚釣りに対応した電動推進浮きシリーズ品。
【発明の詳細な説明】
【技術分野】
【０００１】
本発明は、電動推進浮きに水溶性のスイッチを取り付け、スイッチが水に溶けることにより、スプリングの反力で、自動的にモータの電源をＯＮ，ＯＦＦできるようにしたものである。これにより、電動の推進力にて、より遠方まで投げ釣りをできるようにしたものである。また、浮きと重り受けを水溶性と不水溶性に使い分けることにより、水面付近及び水底の魚を対象に釣りをできるようにしたものである。
【背景技術】
【０００２】
従来、投げ釣りは、人の力、技術に頼るもので、遠くへ重り（えさ針）を飛ばすには、限界があった。また、電動推進の浮きを使用するにしても、モータ電源のＯＮ，ＯＦＦが遠隔では困難で、遠くの水面付近、水底の魚釣りをするのが困難であった。
【発明の開示】
【発明が解決しようとする課題】
【０００３】
従来の投げ釣りには、次のような問題があった。
イ  投げ釣りにて、より遠くの水面上、水底の魚を釣るのは、人の力、技術に左右され、限界があった。
ロ  電動推進浮きを使用するにしても、モータ電源のＯＮ，ＯＦＦが、遠隔では困難であった。
本発明は、以上の問題を解決するためになされたものである。
【課題を解決するための手段】
【０００４】
ＯＮ用ノブ（１）と絶縁板（８）を連結し、スプリングＡ（５）で引張るようにし、間に水溶性スイッチＡ（３）を取付ける。さらに、ＯＦＦ用ノブ（２）とブラシ（７）を連結し、スプリングＢ（６）で引張るようにし、間に水溶性スイッチＢ（４）を取付ける。また、電極Ａ（９）と電極Ｂ（１０）が接続することにより、電池（１１）の電力が、モータ（１２）に供給され、スクリュウ（１３）を回転し、推進力が得られるようにする。続いて、水溶性または、不水溶性の浮き（１４）を上記に取付、はり（２０）、おもり（１９）を取付けた糸（１８）をてんびん（１５）の穴に通し、水溶性または、不水溶性の重り受け（１６）を重り受け座（１７）にて取付ける。本発明は、以上の構成よりなる水溶性スイッチを利用した電動推進浮きである。
【発明の効果】
【０００５】
本発明を使用することによって、誰でも遠くの魚を対象とした釣りを楽しむことができる。また、水溶性、不水溶性の浮き、重り受けを組合わせて使用することにより、水面上、水底を対象にした幅広い釣りができ、レジャー用品として大いに活用できる。
【発明を実施するための最良の形態】
【０００６】
以下本発明の実施の形態を説明する。
イ  ＯＮ用ノブ（１）と絶縁板（８）を連結し、スプリングＡ（５）で引張るようにし、間に水溶性スイッチＡ（３）を取付ける。
ロ  ＯＦＦ用ノブ（２）とブラシ（７）を連結し、スプリングＢ（６）で引張るようにし、間に水溶性スイッチＢ（４）を取付ける。
ハ  電極Ａ（９）と電極Ｂ（１０）が接触することにより、電池（１１）の電力が、モータ（１２）に供給され、スクリュウ（１３）を回転し、推進力が得られるようにする。
ニ  浮き（１４）を上記に取付、はり（２０）、おもり（１９）を取付けた糸（１８）をてんびん（１５）の穴に通し、重り受け（１６）を重り受け座（１７）にて取付ける。
ホ  浮き（１４）、重り受け（１６）を表１に示すよう水溶性と不水溶性に使い分け水面付近及び水底の魚を対象に釣りをできるようにする。
【０００７】
【表１】
2005058077.tif 000003
【実施例】
【０００８】
本発明は、次のように使用する。本構成品を投げ竿で水面に投げる。着水後、体積の小さい水溶性スイッチＡ（３）が溶け、ＯＮ用スイッチ（１）が、スプリング（Ａ）（５）にて引張られ、連結している絶縁板（８）が移動し、電極Ａ（９）と電極Ｂ（１０）がブラシ（７）を介して接続される。これにより、電池（１１）の電力が、モータ（１２）に供給され、スクリュウ（１３）を回転し、推進する。その後、水溶性のスイッチＢ（４）が溶け、ＯＦＦ用スイッチ（２）がスプリングＢ（６）にて引張られ、ブラシ（７）が、電極Ａ（９）のスリット部へ移動する。これにより、電極Ａ（９）と電極Ｂ（１０）の接続が遮断され、モータ（１２）の回転が止まる。続いて、表１のタイプ１として、浮き（１４）、重り受け（１６）を水溶性とした場合、次のようになる。水溶性の重り受け（１６）が溶け、重り受け座（１７）がてんびん（１５）の穴を通り、えさを付けたはり（２０）、おもり（１９）が糸（１８）引張りながら沈む。同時に水溶性の浮き（１４）が溶け，上記構成品が，水底に沈む。以上より、遠くの水底を対象にした魚釣りをすることが出来る。
【図面の簡単な説明】
【０００９】
【図１】水溶性スイッチを利用した電動推進浮きの全体を示した説明図である。
【図２】水溶性スイッチを利用した電動推進浮きの先端部を拡大した説明図である。
【図３】水溶性スイッチを利用した電動推進浮きの後端を拡大した説明図である。
【図４】水溶性スイッチＡ、水溶性スイッチＢ、重り受けを示した単体図である。
【符号の説明】
【００１０】
１  ＯＮ用ノブ
２  ＯＦＦ用ノブ
３  水溶性スイッチＡ
４  水溶性スイッチＢ
５  スプリングＡ
６  スプリングＢ
７  ブラシ
８  絶縁板
９  電極Ａ
１０  電極Ｂ
１１  電池
１２  モータ
１３  スクリュウ
１４  浮き
１５  てんびん
１６  重り受け
１７  重り受け座
１８  糸
１９  重り
２０  はり
【図１】
2005058077.tif 000004
【図２】
2005058077.tif 000005
【図３】
2005058077.tif 000006
【図４】
2005058077.tif 000007
(57)【要約】      （修正有）【課題】屋上を緑化するために建築物に対し極端に負荷のかからない構造で施工も容易で安価にできる屋上の緑化構造を提供する。【解決手段】既存の屋上の一定の面積に対し、鉢２を設置しその内部に植物の土壌となるための土壌層１３と吸水性ポリマー１４を混入し、鉢２の内部に納めその中心部につる性植物３を植込み連結線４を鉢２の底面中心部の差込み口１１に垂直台７を差込んだ上部の開口部１２に十字方向に通し鉢同士の一体化とつる性植物３の成長の足場となるように結束をし屋上を緑化する。また、鉢２の底面９には、左右中心に脚６が直線状に設けられている。鉢２の底面９には、水抜き穴１０が設けられ、その上部には、吸出しマット８が敷かれ形成されたものである。【選択図】        図２
2005058026.tif 000002
【特許請求の範囲】
【請求項１】
屋上を緑化するにあたり、既存の状態のままで、ある一定の面積に対し一基の鉢を設置し、その内部に、植物のための土壌層と保水性を高めるための吸水性ポリマーを混入させ、その中心部につる性植物の苗を植込み、鉢と鉢を十字方向にロープ又は、針金等により連結したことを特徴とする屋上の緑化構造。
【請求項２】
鉢の底面中心部に垂直の台となるものを差込み口に差し込み、その上部に開口部を設けたことを特徴とする請求項１記載の屋上の緑化構造。
【請求項３】
鉢の底面上部に保水層のための吸出しマットを敷き詰めたことを特徴とする請求項１記載の屋上の緑化構造。
【発明の詳細な説明】
【０００１】
【発明が属する技術分野】
本発明は、屋上や屋根等の緑化の構造の改良に関するものである。
【０００２】
【従来の技術】
従来の屋上等の緑化構造としては、種々のものが開発されているが、まず、屋上スラブ面に対し、防水のための施工をして、その上に土壌層となる材料を敷均しその箇所に芝生、植物等を植えていた。
【０００３】
しかしながら、屋上全体に土壌層及び植物を植込むと重量が増し建物自体に余分な負担がかかり、早期劣化を招く原因となっている。また、作業も手間がかかり工事費も高くついてしまうという問題があった。
【０００４】
【発明が解決しようとする課題】
本発明は、上記問題を改善し、既存の屋上の状態にある一定の面積に対し一基の鉢を設置し、作業も容易で安価に施工することができる屋上等の緑化構造を提供するものである。
【０００５】
【課題を解決するための手段】
本発明の請求項１記載の屋上の緑化構造は、屋上を緑化するにあたりある一定の面積に対し、一基の鉢を設置しその内部に、植物のための土壌層と保水性を高めるための吸水性ポリマーを混入させ、そこにつる性植物の苗を植込み、鉢と鉢を十字方向にロープ又は、針金等により連結したことを特徴とするものである。
【０００６】
本発明の請求項２記載の屋上の緑化構造は、鉢の底面中心部に垂直の台となるものを差込み口に差込みその上部に開口部を設けたことを特徴とするものである。
【０００７】
本発明の請求項３記載の屋上の緑化構造は、鉢の底面部上部に保水層のための吸出しマットを敷き詰めたことを特徴とするものである。
【０００８】
【発明の実施の形態】
以下、本発明の実施の一形態を図１ないし図２、３を参照して詳細に説明する。図において１は、屋上の緑化構造の平面図であり２は鉢、３はつる性植物、４は連結線である。鉢２は側壁５と脚６とで形成され鉢２の中心部には、垂直台７を差込むことのできる差込み口１１が設けられている。
【０００９】
また、鉢２は、図２に示すように底面９とその上部に吸出しマット８が設けられている。その上部鉢２の内部には、土壌層１３と吸水性ポリマー１４が混ぜ合わせた状態で納まっている。なお吸出しマット８は、雨が降った場合に鉢２の底面９の上部に敷き詰められているため水抜き穴１０より土壌等が鉢の外に流出することはない。
【００１０】
また、図３の鉢２の平面図に示すように底面９には、水抜き穴１０が設けられその上部には、保水層のための吸出しマット８が敷かれている。これは、屋上等での著しい乾燥に対しての対策でもある。
【００１１】
また、鉢２の脚６は、底面９に対し、左右と中心部に突出した形で直線状に設けられている。
【００１２】
また、連結線４の屋上側壁箇所との結合は、アンカーボルトを側壁に打ち込みその後に連結線４を結合する仕組みになっている。
【００１３】
また、上記説明では鉢の構造について示したが、その形、寸法、材質は、屋上等の構造環境により任意に選定することができる。
【００１４】
【発明の効果】
以上説明した如く、本発明に係る請求項１記載の屋上の緑化構造によれば、屋上を緑化するにあたり、既存の状態のままで一定の面積に対し一基の鉢を設置し、その内部に植物の土壌となりえるものを混入させ、そこにつる性植物を植込み、その鉢と鉢を十字方向に連結するだけの単純で容易な施工である。そのため、工期も短く工事費も安価にすることができる。また、屋上等の過酷な自然環境においても土壌層となっている部分には、吸水性ポリマーも混入させてあるため、少量の水であっても保水力が維持され、植物の早期緑化に効果が期待できるものである。
【００１５】
また、請求項２記載の屋上の緑化構造によれば、鉢の中心部に鉢同士を連結するための垂直台が設けられているためそこの上部開口部に、連結のためのロープや針金等を通し容易に一体化するとともにつる性植物の足場が簡単にできるのである。
【００１６】
また、請求項３記載の屋上の緑化構造によれば、鉢の底面上部に保水層のための吸出しマットを敷き詰めてあるためここでも、保水力が維持される構造となっている。
【００１７】
加えて本発明は、今までにない緑化植物の中においても著しく生命力が強いつる性植物を屋上の緑化構造のための植物として着目使用した点においても、画期的な構造といわざるを得ない。さらに、屋上の面積あたりに対する土圧荷重等においても他の工法には、見られない飛躍的な軽量緑化構造となっている。
【図面の簡単な説明】
【図１】本発明の実施の１形態による屋上の緑化構造の平面図である。
【図２】図１に示す屋上の緑化構造のための鉢の断面図である。
【図３】図２の鉢の内側の底面部の平面図である。
【符号の説明】
１    屋上の緑化構造
２    鉢
３    つる性植物
４    連結線
５    側壁
６    脚
７    垂直台
８    吸出しマット
９    底面
１０    水抜き穴
１１    差込み口
１２    開口部
１３    土壌層
１４    吸水性ポリマー
【図１】
2005058026.tif 000003
【図２】
2005058026.tif 000004
【図３】
2005058026.tif 000005
(57)【要約】【課題】乾燥物を粉体に処理する粉砕機に取付け、粉塵が発生することなく、処理された粉体を集める装置である。【解決手段】前面に扉、上面に粉砕機から落下する粉体が通過する中空筒を取付ける孔、下側部に吸引ホースを取付ける孔からなる集粉装置の本体、および前記中空筒下端に粉体を回収するための回収部からなる。【選択図】  図１
2005058988.tif 000002
【特許請求の範囲】
【請求項１】
粉砕機（Ａ）の下方に粉砕機（Ａ）から落下してくる粉体を通過させる中空筒（４）を設け、この中空筒（４）の下方に集粉装置本体（１）を連接し、前記中空筒（４）の下端に回収部（２）を設け、集粉装置本体（１）の下側部に吸引ホース（５）を貫通させて設け、この吸引ホース（５）の一端に吸引機（８）を設けたことを特徴とする粉砕機の集粉装置。
【発明の詳細な説明】
【発明の詳細な説明】
【技術分野】
【０００１】  この発明は、乾燥物を粉体に処理する粉砕機に取付け、処理後に排出される粉体を回収部に取込み、同時に粉砕機から発生する排気圧を吸引機で排出する粉砕機の集粉装置である。
【背景技術】
【０００２】  従来、乾燥物を粉体に処理する粉砕機は、図３に示すように粉砕機から落下する粉体を布部材を通して回収容器に回収し、粉砕時に発生する排気圧をダクトから排出する方法がある。
この場合、布部材と粉砕機および布部材と回収容器とはゴムバンドで取付ける。
また、公開実用新案平２−１０８７３６号公報においては、粉砕機から落下する粉砕物を回収する回収箱を粉砕機の下に設け、粉砕機および回収箱の空気を外へ排出するフィルター付き吸引装置を設けたものである。
【発明が解決すべき課題】
【０００３】  乾燥した食品、飼料、医薬品などを化学分析などに供するためには、予め乾燥物を粉体に処理する粉砕機で処理し、粉体としなければならない。
この場合処理する試料間で試料どうしが混入してはならない。
図３で示した従来の技術では、試料の混入を防ぐため一試料を処理した後に次の試料を処理する前に、布部材および回収容器を取外し、これらを清掃しなければならない。
この時、布部材と回収容器の取付け、取外しのための労働強度は多大で、粉塵が大量に発生するため作業者の健康を害し、試料の処理歩留まりも低下する。
公開実用新案平２−１０８７３６号公報の技術においては、装置が大型のため工事が必要である。また、少量の試料を多種類粉砕するには不便である。
本発明は、以上の課題を解決するためになされたものである。
【課題を解決するための手段】
【０００４】  粉砕機（Ａ）の下方に粉砕機（Ａ）から落下してくる粉体を通過させる中空筒（４）を設け、この中空筒（４）の下方に集粉装置本体（１）を連接し、前記中空筒（４）の下端に回収部（２）を設け、集粉装置本体（１）の下側部に吸引ホース（５）を貫通させて設け、この吸引ホース（５）の一端に吸引機（８）を設けたものである。
【発明を実施するための最良の形態】
【０００５】  以下本発明の一実施形態を、図を参照して説明する。
図１および図２において
Ａは粉砕機である。
１は集粉装置本体であり上面および側面に孔、前面に開閉扉を持つ。
２は粉砕機から排出される粉体を収納する回収部である。
３は仕切り板である。
４は粉砕機から排出される粉体が通過する中空筒である。
５は粉砕機から発生する排気圧を吸引するホースである。
６と７はパッキンである。
８は吸引機である。
９はアダプターである。
【実施例】
【０００６】  粉砕機（Ａ）の下方に粉砕機（Ａ）から落下してくる粉体を通過させる中空筒（４）を設け、この中空筒（４）の下方に集粉装置本体（１）を連接し、前記中空筒（４）の下端に回収部（２）を設け、集粉装置本体（１）の下側部に吸引ホース（５）を貫通させて設け、この吸引ホース（５）の一端に吸引機（８）を設けたものである。
前扉を持つ、高さ５００ｍｍ、幅３００ｍｍ、奥行き３３０ｍｍ、のアクリル製の集粉装置本体（１）に口径５０ｍｍの中空筒を挿入する孔を上面に、吸引ホースを挿入する孔を下側部に開けた。
両孔部分には市販の電気掃除機用紙パックの挿入孔部分に使用されているゴムパッキン部分（６）と（７）を両面テープで貼り付け、中空筒（４）と吸引ホース（５）を貫通させて設けた。
回収部（２）は、市販の電気掃除機用紙パックその他袋状のものを使用する。
吸引機（８）は、電気掃除機のようなものを使用する。
アダプター（９）は中空筒と粉砕機本体と接続するものである。【０００７】  本発明を実際に使用する場合は次のようになる。
本体容器の前扉を開き、中空筒の下端に市販の電気掃除機用紙パックを取付け、扉を閉め、電気掃除機を作動させ、試料を粉砕機にて処理する。
処理終了後電気掃除機を停止し、扉を開き回収部を取出す。
【発明の効果】
【０００８】  以上のような構成からなる本発明品は、処理された粉体を収容する回収部を試料毎に取り替えるため試料間の混入は無く、粉体は回収部にほとんど回収され処理歩留まりは非常に高い。
回収部の取替えに要する作業者の作業強度は軽微であり、回収部の取替え作業時において粉塵はほとんど発生することがなく、吸引することにより粉砕機による試料の粉砕速度が速くなり、従来の装置に比べ処理効率は５倍から６倍である。
装置本体は小型であり、既存の粉砕機に容易に取付けが可能であり、吸引は電気掃除機を利用することができ、排気ダクトの設置をするための工事が伴わないので製作費用が安価で経済的である。
【図面の簡単な説明】
【図１】  本発明の内部構成を示す斜視図である。
【図２】  本発明を粉砕機に取付けた状態を示す内部構成図である。
【図３】  従来の集粉構造
【符号の説明】
Ａ  粉砕機
１  集粉装置本体
２  回収部
３  仕切り板
４  中空筒
５  吸引用ホース
６  ゴムパッキン
７  ゴムパッキン
８  吸引機
９  アダプター
１０  布部材
１１  回収容器
１２  排圧ダクト
【図１】
2005058988.tif 000003
【図２】
2005058988.tif 000004
【図３】
2005058988.tif 000005
(57)【要約】【目的】  供給コンベヤの先端部で大形物と小形物を自動的に分別して供給系列を簡素化することを可能にする。【構成】  供給コンベヤ先端部と間隔を開けて筒１を設け、駆動装置４によって回転させることで供給される大形物は筒を乗り越えて粗大物として分別され、一方小形物は供給コンベヤ先端と筒の間から落下することで不燃物として分別する構造とした。【選択図】  図１
2005058982.tif 000002
【特許請求の範囲】
【請求項１】
中心に軸を設けた円筒又は多角形筒を水平に配し、筒上面がコンベヤや振動フィーダ等の供給機先端と間隔を開けて設置し、この筒に正逆の回転を与えたことを特徴とする分別装置。
【請求項２】
請求項１の分別装置において、筒の外周に間隔を開けて突起物を設け、粗大分別物を送ることを特徴とする分別装置。
【発明の詳細な説明】
【技術分野】
【０００１】  本発明は、産業廃棄物の分別装置に関するものであり、詳しくは形状・寸法が比較的大形の粗大物と形状・寸法が小形の不燃物等を後処理に適した分別を自動的に行う分別装置に関するものである。
【背景技術】
【０００２】  従来、市町村の粗大ごみ破砕設備やリサイクル設備においては廃棄物の破砕処理工程において、高速細粒破砕の前処理として粗破砕する場合に形状・寸法が比較的大形の廃棄物等は高速細粒破砕の破砕負荷軽減を少なくできる大きめの形状・寸法に破砕し、一方では形状・寸法が小型の不燃物等は細粒破砕の高速破砕工程により爆発の危険があるスプレー缶や卓上コンロ用ガス・ボンベ等はガス抜きのために、小さめに破砕する必要が有るが、これ等の前破砕はまったく異なる破砕条件となるために、２系列２種の粗破砕設備を設けている。【０００３】  この従来の粗破砕方式は被破砕物が粗大ごみ等の大形物と不燃ごみ等の小形物とでは寸法差が大きく、且つ破砕後の寸法差も高速細粒破砕の前処理のためには、大きい寸法に粗破砕した方が総体的に無駄なエネルギーを必要としないが、不燃ごみ中の爆発危険物を破砕してガス抜きするためには破砕の粒度を小さくする必要があり、このように互いに相反する粗破砕条件となることから、粗大ごみ類の大形廃棄物用と不燃ごみ類の小形廃棄物用の粗破砕機を別個に設け、加えて付帯設備も２系列を必要とするので設置面積を広く要すると共に設備費も嵩むという問題点が有る。
【発明の開示】
【発明が解決しようとする課題】
【０００４】  本発明は、前述の問題点を考慮したもので、粗大物類から不燃物類までの寸法差の大きい廃棄物を自動的に分別する分別装置を設置面積を要せず、安価に提供することを課題とするものである。
【課題を解決するための手段】
【０００５】  前述の課題を解決するために、本発明による分別装置は、次のような方法や手段を採用する。【０００６】  即ち、請求項１では、中心に軸を設けた円筒又は多角形筒を水平に配し、筒上面がコンベヤや振動フィーダ等の供給機先端と間隔を開けて設置し、この円筒に正逆の回転を与えることで、筒の上に供給された粗大ごみは円筒の回転によって送られて大形物として分別され、不燃ごみは供給機と円筒とのに設けた間隔の間から落下することで小形物として分別する手段。【０００７】  また、請求項２では、回転筒の外周面に突起物を設けたことで粗大物が滑らずに送られことで分別精度が良く成る手段。
【発明の効果】
【０００８】  前述の手段によると、請求項１及び請求項２の分別装置では、粗大ごみと不燃ごみを一系列の供給設備で供給すると回転する筒で大形物と小形物とに自動的に分別されるので、設備の設置面積を縮小すると共に設備費も安価となるという課題が解決される。【０００９】  粗大ごみと不燃ごみを単独に供給する場合には、筒の回転を正逆することで更に分別精度が高くなり、箱状の粗大ごみの中に小形不燃・爆発物等が紛れ込むことを防止する。
詳しくは、粗大ごみの分別時には筒は筒径上が供給機から離れる方向の正回転することで供給方向が同じなので抵抗なく且、請求項２の突起物の働きで強制的に送り・分別され、不燃ごみの分別時には筒が供給機側へ逆転することで必ず筒と供給機との間から落下するので分別を精度良く、自動的に行うという課題が解決
【発明を実施するための最良の形態】
【００１０】  本発明の分別装置と破砕室を２分して粗破砕部と細破砕部とに分けた２軸破砕機と組み合わせて使用することで、粗大物は粗破砕し、爆発の危険のあるスプレー缶等を細破砕するこという目的を果たすことができる。
【実施例】
【００１１】  以下、本発明に係る分別装置の実施例を図１〜図２に基づいて説明する。    まず、実施例では筒１の中心に軸２を設け、この軸２の両端を軸受３で回転可能に支持し、軸の一端に駆動装置４を設け、分別室５内に水平に設置されている。【００１２】  この筒１の外周には突起物６が不定間隔で設けてある。
【産業上の利用可能性】
【００１３】  以上のように本発明に係る分別装置は、請求項１によりコンベヤ等のごみ供給装置先端と回転する筒径上とを間隔を開けて設置し、筒径上が供給機から離れる方向の正回転をさせ、粗大ごみ及び不燃ごみを供給すると粗大ごみは筒上面を乗り越えて粗大物として分別され、一方不燃物は筒と供給機との間から落下して不燃物として自動的に分別される。【００１４】  又、粗大ごみを単独に供給する場合には筒を正回転させ、請求項２の突起物との相乗効果で精度の高い分別が可能となり、一方で不燃ごみを単独に供給する場合には筒上面を供給機側の方向へ逆回転させることで、強制的に筒と供給機の間から落下させることで精度の高い分別が得られる。【００１５】  以上、一系列の供給設備で粗大ごみと不燃ごみを処理することを可能にしたことで、設備の設置面積を縮小できると同時に設備費を低減することができる。
【図面の簡単な説明】
【００１６】
【図１】本発明に係る分別装置の実施例を示す側面図である
【図２】本発明に係る破砕装置の実施例を示す平面図である。
【符号の説明】
【００１７】１  筒
２  軸
３  軸受
４  駆動装置
５  分別室
６  突起物
【図１】
2005058982.tif 000003
【図２】
2005058982.tif 000004